(57)【要約】【課題】  １画面分の画像の表示に要する時間を小さくするのに好適な表示駆動回路を提供すること。【解決手段】  表示装置の選択された行に対して１行分の画像である行イメージを順次表示させることにより１画面分の画像を表示させる表示駆動回路において、同じ行イメージを表示させる行を検出し、その同じ行イメージを表示させる行を同時に選択するようにした（ステップＳ１）。【選択図】    図３
2005077633.tif 000002
【特許請求の範囲】
【請求項１】
表示装置の選択された行に対して１行分の画像である行イメージを順次表示させることにより１画面分の画像を表示させる表示駆動回路において、同じ行イメージを表示させる行を検出する検出手段と、その同じ行イメージを表示させる行を同時に選択する選択手段とを備えることを特徴とする表示駆動回路。
【請求項２】
前記表示装置は、行方向に延びている複数の走査電極と、列方向に延びている複数の信号電極と、前記複数の走査電極及び前記複数の信号電極の交点に対応して設けられ且つ前記走査電極及び前記信号電極の電位状態に応じて状態が変化する複数の画素を有する表示体とを備え、前記選択手段は、同じ行イメージを表示させる行に対応する走査電極を同時に走査電圧とし、且つ、それらの走査電極に対応する行に前記同じ画像が表示されるように各信号電極それぞれを所定電位とすることを特徴とする請求項１に記載の表示駆動回路。
【請求項３】
前記請求項１又は前記請求項２に記載の表示駆動回路を備えたことを特徴とする表示装置。
【請求項４】
表示装置の選択された行に対して１行分の画像である行イメージを順次表示させることにより１画面分の画像を表示させる表示駆動プログラムにおいて、同じ行イメージを表示させる行を検出する検出機能と、その同じ行イメージを表示させる行を同時に選択するための選択機能とをコンピュータに実行させるための表示駆動プログラム。
【発明の詳細な説明】
【技術分野】
【０００１】
本発明は、表示装置の選択された行に対して１行分の画像を順次表示させることにより１画面分の画像を表示させる表示駆動回路、表示装置及び表示駆動プログラムに関する。
【背景技術】
【０００２】
従来、このような表示駆動回路としては、行方向に延びている複数の走査電極と、列方向に延びている複数の信号電極と、それら複数の走査電極及び複数の信号電極の交点に対応して設けられた複数の画素とを有する表示装置を備え、その表示装置の１行目から順番に各行を選択し、各行に対応する走査電極を走査電圧とし、その走査電極に対応した画素に、１行分の画像が順次表示されるように各信号電極をそれぞれ所定電位とすることによって、１画面分の画像を表示するものがある（例えば、特許文献１参照。）。
【特許文献１】特開平０６−１８８４３号公報
【発明の開示】
【発明が解決しようとする課題】
【０００３】
しかしながら、上記従来の表示駆動回路にあっては、表示させる行イメージに関係なく、単に、予め決められた順番で各行を選択するようになっているため、例えば、表示装置が大型化・高精細化され、表示装置の行数が大きくなると、１画面分の画像の表示に要する時間が大きくなってしまうという問題があった。
そこで、本発明は上記従来の技術の未解決の問題点を解決することを目的とするものであって、１画面分の画像の表示に要する時間を小さくするのに好適な表示駆動回路、表示装置及び表示駆動プログラムを提供することを課題とする。
【課題を解決するための手段】
【０００４】
上記課題を解決するために、第１の発明である表示駆動回路は、表示装置の選択された行に対して１行分の画像である行イメージを順次表示させることにより１画面分の画像を表示させる表示駆動回路において、同じ行イメージを表示させる行を検出する検出手段と、その同じ行イメージを表示させる行を同時に選択する選択手段とを備えることを特徴とするものである。
【０００５】
また、第２の発明である表示駆動回路は、前記表示装置は、行方向に延びている複数の走査電極と、列方向に延びている複数の信号電極と、前記複数の走査電極及び前記複数の信号電極の交点に対応して設けられ且つ前記走査電極及び前記信号電極の電位状態に応じて状態が変化する複数の画素を有する表示体とを備え、前記選択手段は、同じ行イメージを表示させる行に対応する走査電極を同時に走査電圧とし、且つ、それらの走査電極に対応する行に前記同じ画像が表示されるように各信号電極それぞれを所定電位とすることを特徴とするものである。
【０００６】
一方、第３の発明である表示装置は、前記請求項１又は前記請求項２に記載の表示駆動回路を備えたことを特徴とするものである。
また一方、第４の発明である表示駆動プログラムは、表示装置の選択された行に対して１行分の画像である行イメージを順次表示させることにより１画面分の画像を表示させる表示駆動プログラムにおいて、同じ行イメージを表示させる行を検出する検出機能と、その同じ行イメージを表示させる行を同時に選択するための選択機能とをコンピュータに実行させるためのものである。
【０００７】
この第１〜第４の発明によれば、複数の行を同時に選択し、それらの行に、対応する行イメージを同時に表示させることができ、その結果、１画面分の画像の表示に要する時間を小さくすることができる。
【発明を実施するための最良の形態】
【０００８】
以下、本発明の表示駆動回路の一実施形態を図面に基づいて説明する。
図１は、本発明の実施の形態における情報表示装置１の概略構成を示すブロック図である。この図１に示すように、情報表示装置１は、ＣＰＵ（Central Processing Unit ）２、ＲＡＭ（Random Access Memory）３、ＲＯＭ４、キーボード５が接続されたＩ／Ｏ６、グラフィックアクセラレータ７、ＶＲＡＭ（Video Ram）８、ディスプレイコントローラ９、及び表示装置１０で構成され、キーボード５及び表示装置１０を除く各部はバス１１で互いに接続されている。
【０００９】
これらのうちＣＰＵ２は、ＲＯＭ４に格納された基本制御プログラム等の各種プログラム及びデータを読み込み、それら各種プログラム及びデータをＲＡＭ３内に設けられるワークエリアに展開実行して、情報表示装置１が備える各部の制御を実行する。また、ＣＰＵ２は、キーボード５から出力されるキー押下信号に従って、キーボード５で指定された文字や数字を表示するための画像データを生成し、その画像データをグラフィックアクセラレータ７に出力する。
【００１０】
さらに、ＣＰＵ２は、グラフィックアクセラレータ７がラスタデータをＶＲＡＭ８に書き込むたびに後述する画像表示処理を実行し、ＶＲＡＭ８に格納されているラスタデータを読み出して、後述するゲートドライバ１３及びソースドライバ１４を駆動するためのゲートドライバ駆動用データ及びソースドライバ駆動用データを生成し、それらゲートドライバ駆動用データ及びソースドライバ駆動用データをディスプレイコントローラ９に出力する。ここでラスタデータは、表示装置１０の各画素１９の表示状態を「０」又は「１」の数値で示し、「０」は、対応する画素１９に白色を表示させることを示し、「１」は、対応する画素１９に黒色を表示させることを示す。
【００１１】
また、ＲＡＭ３は、ＣＰＵ２が各種プログラムに従って上記処理を実行するときに、各種プログラムを展開するワークエリアを形成するとともに、ＣＰＵ２により実行される各種処理に係るデータを展開するためのメモリ領域を形成する。
さらに、ＲＯＭ４は、ＣＰＵ２により実行される基本制御プログラム、OLE_LINK1各種アプリケーションOLE_LINK1プログラム及びこれら各プログラムに係るデータ等を格納する。そして、ＲＯＭ４は、ＣＰＵ２からの読み出し要求に従って、それら各種プログラムやデータをＣＰＵ２に出力する。なお、ＲＯＭ４内の各種プログラム及びデータは、いずれもＣＰＵ２により 読み取り及び実行可能な形式で格納されている。
【００１２】
また、Ｉ／Ｏ６は、文字キー、数字キー及び各種機能キーを備えたキーボード５等が接続されている。そして、キーボード５のキーが押下操作されると、押下操作されたキーに対応するキー押下信号をＣＰＵ２に出力する。
さらに、グラフィックアクセラレータ７は、ＣＰＵ２から出力される画像データをラスタデータに展開し、そのラスタデータをＶＲＡＭ８に書き込む。
【００１３】
また、ＶＲＡＭ８は、グラフィックアクセラレータ７からの書き込み要求に従って、ラスタデータを格納するとともに、ＣＰＵ２からの読み出し要求に従って、そのラスタデータをＣＰＵ２に出力する。
さらに、ディスプレイコントローラ９は、ＣＰＵ２から出力されるゲートドライバ駆動用データ及びソースドライバ駆動用データを後述するゲートドライバ１３及びソースドライバ１４のそれぞれに分配出力する。
【００１４】
また、表示装置１０は、複数の画素１９がアレイ状に形成された電気泳動パネル１２を中央に有し、その電気泳動パネル１２の平面視左側には、ゲートドライバ１３が配され、平面視上側には、ソースドライバ１４が配されている。
これらのうち電気泳動パネル１２には、図１のＡ−Ａ線断面図である図２に示すように、黒色の帯電粒子１５ａと白色の分散媒１５ｂとからなる電気泳動分散液１５を内包する複数のマイクロカプセル１６が中央の層に配され、それらのマイクロカプセル１６が配された層の上面に、ゲートドライバ１３から平面視横方向に延びている透明の走査電極１７が配され、下面に、ソースドライバ１４から平面視縦方向に延びている不透明の信号電極１８が配されて、それら走査電極１７及び信号電極１８の交点に複数の画素１９が設けられている。
【００１５】
また、ゲートドライバ１３は、ディスプレイコントローラ９からゲートドライバ駆動用データが出力されると、そのゲートドライバ駆動用データに従って走査電極１７を所定電位とする。ここでゲートドライバ駆動用データは、各走査電極１７の電位を「０」又は「１」の数値で表した数列であり、例えば、ｋ番目の数値が「０」であるときには平面視上側からｋ番目の走査電極１７の電位をローレベルとし、ｋ番目の数値が「１」であるときには平面視上側からｋ番目の走査電極１７の電位をハイレベル（走査電圧）とする。
【００１６】
さらに、ソースドライバ１４は、ディスプレイコントローラ９からソースドライバ駆動用データが出力されると、そのソースドライバ駆動用データに従って信号電極１８を所定電位とする。ここでソースドライバ駆動用データは、各信号電極１８の電位を「０」又は「１」の数値で表した数列であり、例えば、ｋ番目の数値が「０」であるときには平面視左側からｋ番目の信号電極１８の電位をハイレベルとし、ｋ番目の数値が「１」であるときには平面視左側からｋ番目の信号電極１８の電位をローレベルとする。
【００１７】
そして、ディスプレイコントローラ９から出力されるゲートドライバ駆動用データ及びソースドライバ駆動用データに従って、ゲートドライバ１３及びソースドライバ１４が、所定の走査電極１７の電位をハイレベルとし且つ所定の信号電極１８の電位をローレベルとすると、それら所定の走査電極１７及び所定の信号電極１８の交点に形成されている画素１９に対応したマイクロカプセル１６の黒色の帯電粒子１５ａが前面側（走査電極１７側）に吸着され、それらの帯電粒子１５ａが前面側から認識されるようになる。なお、電気泳動パネルには表示内容を記憶する性質があり、新たな電位差を加えない限り、表示内容が保持される。つまり、電気泳動パネル３をオフ状態とし、エネルギーを供給していない状態とすると、帯電粒子１５ａが吸着した状態が保持され、前面側に画像が表示され続ける。
【００１８】
図３は、ＣＰＵ２で実行される画面表示処理のフローチャートである。この図３に示すように、まず、そのステップＳ１では、ＶＲＡＭ８に格納されているラスタデータのうち各走査電極１７に対応する各画素１９に対応したビットパターン、つまり表示装置１の各行に表示させる１行分の画像である行イメージに対応するビットパターンとその行イメージに対応した画像が表示される行に対応した走査電極１７の情報（以下、ゲート信号とも呼ぶ。）とを検出する。ここで行イメージに対応するビットパターンは、各走査電極１７に対応する各画素１９の状態を「０」又は「１」の数値で表した数値列であり、例えば、その数値列のｋ番目の数値が「０」であるときには平面視左側からｋ番目の画素１９に白色を表示させることを示し、ｋ番目の数値が「１」であるときには平面視左側からｋ番目の画素１９に黒色を表示させることを示す。また、ゲート信号は、対応する行イメージに対応した画像が表示される画素１９に対応した走査電極１７の情報を「０」又は「１」の数値で表した数値列であり、例えば、その数値列のｋ番目の数値が「０」であるときには平面視上側からｋ番目の走査電極１７に対応する画素１９に、対応する行イメージに対応した画像が表示されないことを示し、ｋ番目の数値が「１」であるときには平面視上側からｋ番目の走査電極１７に対応する画素１９に、対応する行イメージに対応した画像が表示されることを示す。
【００１９】
次にステップＳ２に移行して、前記ステップＳ１で検出された行イメージに基づき、下記（１）式に従って各行イメージ間のハミング距離ｄHを互いに算出する。
ｄH＝ｄ（ａ、ｂ）＝Σ（ａi(XOR)ｂi）  ………（１）
但し、ａ、ｂは行イメージであり、ａi、ｂi（ｉ＝１〜ｎ、ｎは信号電極の数）は行イメージａ、ｂの構成要素であり、(XOR)は排他的論理和を表し、Σ(・)はｉ＝１からｉ＝ｎまで括弧内の演算を順次行い、それら演算結果を加算する関数である。
【００２０】
次にステップＳ３に移行して、前記ステップＳ１で検出された行イメージのうち構成要素に「１」が最も少ない行イメージを検出し、その行イメージを最初にディスプレイコントローラ９に出力する第１出力データとする。
次にステップＳ４に移行して、前記ステップＳ２の算出結果に基づいて、未選択状態である行イメージデータから前記ステップＳ３で第１出力データに設定された行イメージとのハミング距離が最も小さい行イメージデータを検出し、その行イメージデータを２番目にディスプレイコントローラ９に出力する第２出力データとする。また、未選択状態である行イメージデータから第２出力データとのハミング距離が最も小さい行イメージデータを検出し、その行イメージデータを第３出力データとするというように、未選択状態であるイメージデータから１つ前に選択された第（ｊ−１）出力データとのハミング距離が最も小さい行イメージデータを検出し、その行イメージデータをｊ（ｊ＝１〜ｍ、ｍは行イメージデータの数）番目にディスプレイコントローラ９に出力する第ｊ出力データとする。
【００２１】
次にステップＳ５に移行して、前記ステップＳ３及びＳ４で設定された第１〜第ｍ出力データ及び、それら第１〜第ｍ出力データに対応するゲート信号をそれぞれゲートドライバ駆動用データ及びソースドライバ駆動用データとして順次ディスプレイコントローラ９に出力してから、この演算処理を終了する。
次に、本実施形態の情報表示装置１の動作を具体的状況に基づいて説明する。なお、ここでは説明の簡単のため、走査電極１７及び信号電極１８をそれぞれ７本ずつとした、７×７画素１９の電気泳動パネル１２を用いるものとする。
【００２２】
まず、利用者がキーボード５の数字キー「１」及び「２」を押下操作したとする。すると、キーボード５から数字キー「１」及び「２」に対応するキー押下信号がＣＰＵ２に出力され、ＣＰＵ２で、そのキー押下信号に従って、図４に示すように、数字「１２」を表示するための画像データが生成され、その画像データがグラフィックアクセラレータ７に出力され、グラフィックアクセラレータ７で、図５に示すように、その画像がラスタデータに展開され、そのラスタデータがＶＲＡＭ８に書き込まれる。
【００２３】
また、グラフィックアクセラレータ７がラスタデータをＶＲＡＭ８に書き込むと、ＣＰＵ２で、画像表示処理が実行され、そのステップＳ１で、ＶＲＡＭ８に格納されているラスタデータに基づいて、図６に示すように、４つの行イメージ（Ｎｏ.１〜Ｎｏ.４）とそれらの行イメージに対応したゲート信号とが検出され、ステップＳ２で、図７に示すように、各行イメージ間のハミング距離が互いに算出され、ステップＳ３で、それらの行イメージのうち構成要素に「１」が最も少ない行イメージ（Ｎｏ.１、「０００００００」）が検出され、その行イメージが最初にディスプレイコントローラ９に出力する第１出力データとされ、ステップＳ４で、図８に示すように、その他の行イメージデータから第１出力データに設定された行イメージとのハミング距離が最も小さい行イメージデータ（Ｎｏ.３、「０１０００１０」、ハミング距離「２」）が検出され、その行イメージデータが２番目にディスプレイコントローラ９に出力する第２出力データとされ、また同様に、残りの行イメージデータから第２出力データに設定された行イメージとのハミング距離が最も小さい行イメージデータ（Ｎｏ.４、「０１０１０００」、ハミング距離「１」）が検出され、その行イメージデータが３番目にディスプレイコントローラ９に出力する第３出力データとされ、最後に残った行イメージデータ（Ｎｏ.２、「０１０１１１０」）が４番目にディスプレイコントローラ９に出力する第４出力データとされ、ステップＳ５で、図９に示すように、第１〜第４出力データ及び、それらに対応するゲート信号がそれぞれソースドライバ駆動用信号及びゲートドライバ駆動用信号として順次ディスプレイコントローラ９に出力され、この演算処理が終了される。
【００２４】
また、第１〜第４出力データ及びそれらに対応するゲート信号が出力されると、ディスプレイコントローラ９で、それらがゲートドライバ１３及びソースドライバ１４のそれぞれに分配出力される。そして、第１出力データ及びそれに対応するゲート信号が出力されると、ゲートドライバ１３で、平面視上側から１番目及び７番目の走査電極１７がハイレベルとされ、ソースドライバ１４で、全ての信号電極１８の電位がハイレベルとされ、１行目及び７行目にある画素１９に対応する画像が表示される。
【００２５】
また、第２出力データ及びそれに対応するゲート信号が出力されると、ゲートドライバ１３で、平面視上側から３番目の走査電極１７がハイレベルとされ、ソースドライバ１４で、平面視左側から２番目及び６番目の信号電極１８の電位がローレベルとされ、２つの信号電極１８の電位が変化し、３行目にある画素１９に対応する画像が表示される。
さらに、第３出力データ及びそれに対応するゲート信号が出力されると、ゲートドライバ１３で、平面視上側から５番目の走査電極１７がハイレベルとされ、ソースドライバ１４で、平面視左側から２番目及び４番目の信号電極１８の電位がローレベルとされ、１つの信号電極１８の電位が変化し、５行目にある画素１９に対応する画像が表示される。
【００２６】
また、第４出力データ及びそれに対応するゲート信号が出力されると、ゲートドライバ１３で、平面視上側から２番目、４番目及び６番目の走査電極１７がハイレベルとされ、ソースドライバ１４で、平面視左側から２番目、４番目、５番目及び６番目の信号電極１８の電位がローレベルとされ、２つの信号電極１８の電位が変化し、２行目、４行目及び６行目にある画素１９に対応する画像が表示され、表示装置１０に１画面分の画像が表示される。
【００２７】
このように本実施形態における情報表示装置１によれば、１つ前の順番に設定された行に表示させる行イメージに対応するビットパターンとのハミング距離が最も小さいビットパターン、つまり表示させる行イメージの列成分に相違点が少ない未選択行が続いて選択されるように行の選択順序を設定することができ、画像を表示させるときに電位が変化する信号電極18の数を５つとし、つまり少なくし、その電位変化によって信号電極18の寄生容量で消費される電力を小さくすることができ、その結果、１画面分の画像を表示するための電力消費量を小さくすることができる。
【００２８】
ちなみに、単に、表示装置１０の１行目から順番に各行に対応する走査電極１７を走査電圧とし、その走査電極１７に対応した画素１９に、対応する画像が表示されるように各信号電極１８をそれぞれ所定電位とする従来の方法にあっては、画像を表示させるときに電位が変化する信号電極１８の数が７つと多くなり、その電位変化によって信号電極１８の寄生容量で電力が消費され、その結果、１画面分の画像を表示するための電力消費量が大きくなってしまう。
【００２９】
また、複数の走査電極１７を同時に走査電圧とし、それらの走査電極１７に対応した画素１９からなる行に、対応する画像を同時に表示させることができ、例えば、１回の行の選択に要する時間が１０msec.であるとすると、１画面分の画像を表示するための所要時間を４０msec.とする、つまり小さくすることができる。
ちなみに、単に、１行目から順番に各行に対応する走査電極１７を走査電圧とする従来の方法にあっては、例えば、１回の行の選択に要する時間が１０msec.であるとすると、１画面分の画像を表示するための所要時間が７０msec.と大きくなってしまう。
【００３０】
なお、上記実施形態では、図３のステップＳ１が検出手段を構成し、以下同様に、図３のステップＳ５が設定手段を構成し、図１のゲートドライバ１３及びソースドライバ１４が選択手段を構成する。
また、上記実施形態は、本発明に係る表示駆動回路の一例を示したものであり、その構成等を限定するものではない。
【００３１】
例えば、上記実施形態では、電気泳動パネル１２の駆動方式として、電気泳動パネル１２を走査電極１７及び信号電極１８で挟んでなるパッシブマトリクス駆動方式を用いる例を示したが、これに限られるものではなく、例えば、ＴＦＴ（Thin Film Transistor）やＴＦＤ（Thin Film Diode）等のアクティブ素子（能動素子）を用いたアクティブマトリックス駆動方式を用いるようにしてもよい。また、その構造としては、所謂ＣＯＦ（Chip on Film）タイプの構造であってもよく、またＩＣチップを直接実装する構造を有する構造であってもよい。
【００３２】
また、電気泳動パネル１２を用いる例を示したが、これに限られるものではなく、信号電極と走査電極の組み合わせで表示を行う表示装置であれば適用可能である。例えば、ＴＮ（Twisted Nematic）液晶ディスプレイ、ＳＴＮ（Super TN）液晶ディスプレイ、強誘電性液晶ディスプレイ、コレステリック液晶ディスプレイ、トナーディスプレイ、ツイストボールディスプレイなどの表示装置を用いるようにしてもよい。
【００３３】
また、上記実施形態では、ＣＰＵ２で画像表示処理を実行する例を示したが、これに限られるものではなく、例えば、グラフィックスアクセラレータ７やディスプレイコントローラ９、ＶＲＡＭ８内蔵型のソースドライバ１４で実行するようにしてもよい。なお、ソースドライバ１４で実行する場合には、ソースドライバ１４とゲートドライバ１４とを接続する信号線を設ける必要がある。
【００３４】
また、上記実施形態では、行イメージを構成する数値に「０」があるときには対応する画素１９に白色を表示させることを示し、「１」があるときには対応する画素１９に黒色を表示させることを示す例を示したが、これに限られるものではなく、例えば、行イメージを構成する数値に「０」があるときには対応する画素１９に白色を表示させることを示し、「９」があるときには対応する画素１９に黒色を表示させることを示し、それら「０」から「９」の間の数値があるときには対応する画素１９に対しその数値に応じた明度の灰色を表示させることを示すようにしてもよい。
【００３５】
また、「０」から「９」の間の数値を用いるようにしたときには、それらの数値に応じた大きさの電位をソースドライバ１４で出力するようにすると共に、下記（２）式に従ってハミング距離に相当する距離を算出するようにしてもよい。その際、信号電極１８の電位変化による電力消費量が電位の変化の大きさのみでは定まらず、所定関数ｐの影響を受けるときには、下記（３）式に従ってハミング距離に相当する距離を算出するようにしてもよい。
【００３６】
ｄH＝Σ｜ａi―ｂi｜  ………（２）
ｄH＝Σｐ（ａｉ，ｂｉ）  ………（３）
さらに、行イメージのうち構成要素に「１」が最も少ない行イメージを検出し、その行イメージを最初にディスプレイコントローラ９に出力する第１出力データとする例を示したが、これに限られるものではなく、例えば、構成要素が全て「０」である行イメージを第１出力データとしたり、構成要素が全て「１」である行イメージを第１出力データとしたり、構成要素に「０」の数が最も少ない行イメージを第１出力データとしたり、無作為に選出した行イメージを第１出力データとしたり、画面表示処理が前回実行されたときに最後にディスプレイコントローラ９に出力された行イメージとのハミング距離が最も小さい行イメージを第１出力データとしたりしてもよい。
【００３７】
また、常に、１つ前の順番に設定された行に表示させる行イメージとのハミング距離が最も小さい未選択行を選択する例を示したが、これに限られるものではなく、例えば、画面の上側にある行又は下側にある行ばかりが連続して選択されるときには、ハミング距離と関係なく、それまでとは異なる側にある任意の未選択行を選択するようにしてもよく、また所定数の順番を設定するたびに無作為に選んだ未選択行を選択するようにしてもよい。
【図面の簡単な説明】
【００３８】
【図１】本発明の表示駆動回路の一実施形態を示す構成図である。
【図２】図１のＡ−Ａ線断面図である。
【図３】ＣＰＵで実行される画像表示処理のフローチャートである。
【図４】ＣＰＵで生成された画像を説明するための説明図である。
【図５】ラスタデータを説明するための説明図である。
【図６】行イメージ及びゲート信号を説明するための説明図である。
【図７】各行イメージ間のハミング距離を説明するための説明図である。
【図８】設定方法を説明するための説明図である。
【図９】ソースドライバ駆動用信号等を説明するための説明図である。
【符号の説明】
【００３９】
１は表示駆動回路、２はＣＰＵ、３はＲＡＭ、４はＲＯＭ、５はキーボード、６はＩ／Ｏ、７はグラフィックアクセラレータ、８はＶＲＡＭ、９はディスプレイコントローラ、１０は表示装置、１１はバス、１２は電気泳動パネル、１３はゲートドライバ、１４はソースドライバ、１５ａは帯電粒子、１５ｂは電気泳動分散液、１６はマイクロカプセル、１７は走査電極、１８は信号電極
【図１】
2005077633.tif 000003
【図２】
2005077633.tif 000004
【図３】
2005077633.tif 000005
【図４】
2005077633.tif 000006
【図５】
2005077633.tif 000007
【図６】
2005077633.tif 000008
【図７】
2005077633.tif 000009
【図８】
2005077633.tif 000010
【図９】
2005077633.tif 000011